(57)【要約】      （修正有）【課題】着用した状態において、下端部に位置する襞部を確実に展開し、着用者の口とマスク本体との間に空間を形成することのできる立体的な使い捨てマスクの提供。【解決手段】使い捨てマスク１０において、マスク本体２０は、一対の耳掛け部３０の上下固定部３４Ａ，３４Ｂが位置する上下端部２２，２３と、上下端部間に位置する口覆い部２４と、両側縁２０ｃ，２０ｄに沿って上下方向へ断続的に延びる、複数の接合部４１が配置されたシール域４４とを有する。口覆い部２４と下端部２３とは、マスク本体２０を形成するシートを折り重ねて形成された襞部を有し、横断中心線Ｑよりも下方に位置し、かつ、マスク本体の両側縁２０ｃ，２０ｄから幅方向Ｘの内側へ延びる切欠７０を有する。【選択図】図８
0003203087.tif 000002
【実用新案登録請求の範囲】
【請求項１】
上下方向及び幅方向を有し、前記上下方向の寸法を2等分する横断中心線と、マスク本体と、前記マスク本体の両側縁から環状に延びる一対の耳掛け部とを含む使い捨てマスクにおいて、
前記マスク本体は、前記一対の耳掛け部の上下固定部が位置する上下端部と、前記上下端部間に位置する口覆い部と、前記両側縁に沿って前記上下方向へ断続的に延びる、複数の接合部が配置されたシール域とを有し、
前記口覆い部と前記下端部とは、前記マスク本体を形成するシートを折り重ねて形成された襞部を有し、
前記横断中心線よりも下方に位置し、前記マスク本体の両側縁から前記幅方向の内側へ延びる切欠を有することを特徴とする前記マスク。
【請求項２】
前記切欠は、前記シール域を横断してさらに前記幅方向の内側に延びる請求項１に記載のマスク。
【請求項３】
前記切欠は、前記耳掛け部の前記下固定部の近傍に位置する請求項１又は２に記載のマスク。
【請求項４】
前記口覆い部及び前記下端部の少なくとも一方は、前記シートを断面Ω状に折り曲げて形成された、前記上下方向において離間対向する一対の前記襞部間に位置する非重畳部分を有する請求項１〜３のいずれかに記載のマスク。
【請求項５】
前記切欠は、前記非重畳部分に位置する請求項４に記載のマスク。
【考案の詳細な説明】
【技術分野】
【０００１】
本考案は、使い捨てマスクに関する。
【背景技術】
【０００２】
図４を参照すると、特許文献１には、マスク本体２２０と、マスク本体２２０の両側縁２２０ｃ，２２０ｄから環状に延びる一対の耳掛け部２３０と、マスク本体２２０においてシートを折り重ねた重畳部分からなる複数の襞部（プリーツ）２２８を有する使い捨てマスク２１０が開示されている。
【先行技術文献】
【特許文献】
【０００３】
【特許文献１】実用新案登録第３２０００４９号（Ｕ３２０００４９）
【考案の概要】
【考案が解決しようとする課題】
【０００４】
図４を参照すると、特許文献１に開示された使い捨てマスク２１０は、上端縁２２０ａと、上端縁２２０ａよりも長さ寸法（幅方向における寸法）が小さな下端縁２２０ｂと、着用者の口鼻を覆う口覆い部２２４と、顎部と対向する下端部２２３とを有する。下端部２２３における耳掛け部２３０の下固定部２３４Ｂ，２３４Ｂ間には、最下襞部２２８Ｄが位置しており、それを展開することによって下端部２２３が上下方向Ｙへ拡がり、前方へ膨らむような外形をなすので、口とマスク２１０との間に空間が生じて、息苦しさを軽減することができる。
【０００５】
しかし、マスク本体２２０の下端縁２２０ｂが上側縁２２０ａよりも小さく、耳掛け部２３０の下固定部２３４Ｂが下端縁２２０ｂのうちの傾斜部位側に位置することから、下固定部２３４Ｂ間の離間寸法が比較的に小さくなっている。そのために、マスク本体２２０の両側縁部における変形（歪み）が大きくなり、着用したときに、最下襞部２２８Ｄが展開されないおそれがある。かかる場合には、下端部２２３が上下方向Ｙへ拡がらず、着用者の口に接した状態となるので、息苦しさを与えたり、女性の着用者の場合には、口紅がマスク本体２２０の内面に付着したりするおそれがある。また、最下襞部２２８Ｄが展開しないことによって、両側縁部２１８のフィット性が低下し、顔面との間に隙間が形成されるおそれがある。
【０００６】
本考案は、従来の使い捨てマスクの改良であって、着用した状態において、下端部に位置する襞部を確実に展開し、着用者の口とマスク本体との間に空間を形成することのできる立体的な使い捨てマスクの提供を課題にしている
【課題を解決するための手段】
【０００７】
前記課題を解決するために、本考案は、上下方向及び幅方向を有し、前記上下方向の寸法を２等分する横断中心線と、マスク本体と、前記マスク本体の両側縁から環状に延びる一対の耳掛け部とを含む使い捨てマスクに関する。
【０００８】
本考案に係る使い捨てマスクは、前記マスク本体は、前記一対の耳掛け部の上下固定部が位置する上下端部と、前記上下端部間に位置する口覆い部と、前記両側縁に沿って前記上下方向へ断続的に延びる、複数の接合部が配置されたシール域とを有し、前記口覆い部と前記下端部とは、前記マスク本体を形成するシートを折り重ねて形成された襞部を有し、前記横断中心線よりも下方に位置し、前記マスク本体の両側縁から前記幅方向の内側へ延びる切欠を有することを特徴とする。
【０００９】
切欠が、シール域を横断してさらに幅方向の内側へ延びることによって、マスク本体の両側縁部を変形しようとする力を切欠においてより効果的に吸収、分散することができる。
【００１０】
切欠は、耳掛け部の下固定部の近傍に位置することから、マスク本体の両側部において上方へ向かう力を発生してすぐに吸収、分散することができる。
【００１１】
前記口覆い部及び前記下端部の少なくとも一方は、前記シートを断面Ω状に折り曲げて形成された、前記上下方向において離間対向する一対の前記襞部間に位置する非重畳部分を有することから、非重畳部分においてマスク本体の両側縁部を変形しようとする力を吸収、分散することができる。
【００１２】
切欠は、非重畳部分に位置することから、マスク本体の両側縁部を変形しようとする力を確実に吸収、分散することができる。
【考案の効果】
【００１３】
本考案に係る使い捨てマスクによれば、口覆い部と下端部とは、マスク本体を形成するシートを折り重ねて形成された襞部を有し、横断中心線よりも下方に位置し、前記マスク本体の両側縁から前記幅方向の内側へ延びる切欠を有することから、切欠においてマスク本体の両側縁部を変形しようとする力を吸収、分散して、変形を抑制することができる。
【図面の簡単な説明】
【００１４】
図面は、本考案の特定の実施の形態を示し、考案の不可欠な構成ばかりでなく、選択的及び好ましい実施の形態を含む。
【図１】本考案に係る使い捨てマスクの正面から視た平面図。
【図２】図１のＩＩ−ＩＩ線に沿って切断し、マスクの一方側部側を外面から視た斜視図。
【図３】マスク本体の平面図。
【図４】従来のマスクの平面図。
【図５】（ａ）着用状態におけるマスクの側面図。（ｂ）着用状態における従来のマスクの側面図。
【図６】（ａ）マスクの最下襞部の展開するときの様子を示す図。（ｂ）従来のマスクの展開するときの様子を示す図。
【図７】（ａ）着用状態におけるマスクの正面図。（ｂ）着用状態における従来のマスクの正面図。（ｃ）着用状態におけるマスクの背面図。（ｄ）着用状態における従来のマスクの背面図。
【図８】変形例の一例におけるマスクの平面図。
【図９】他の変形例の一例におけるマスクの平面図。
【考案を実施するための形態】
【００１５】
下記の実施の形態は、図１〜図９に示す使い捨てマスクに関し、考案の不可欠な構成ばかりではなく、選択的及び好ましい構成を含む。
【００１６】
図１〜図４を参照すると、本考案の使い捨てマスクの一例として示す、マスク１０は、上下方向Ｙ及び幅方向Ｘを有し、肌対向面及びそれに対向する非肌対向面と、上下方向Ｙの寸法を２等分する横断中心線Ｑと、マスク本体２０と、マスク本体２０の両側縁２０ｃ，２０ｄから延びる環状の一対の耳掛け部３０とを含む。
【００１７】
マスク本体２０は、基材シート２１から形成されており、幅方向Ｘへ直状に延びる上端縁２０ａと、下方へ僅かに凸曲して幅方向Ｘへ延びる下端縁２０ｂと、上下端縁２０ａ，２０ｂ間において上下方向Ｙへ延びる両側縁２０ｃ，２０ｄと、両側縁部１８とを有する。また、マスク本体２０は、一対の耳掛け部３０の基端部（固定両端部）３１が位置する上下端部２２，２３と、上下方向Ｙにおいて上下端部２２，２３の間に位置する、着用者の口と対向する口覆い部（中間部）２４とをさらに有する。さらに、マスク本体２０は、上下端縁２０ａ，２０ｂと両側縁２０ｃ，２０ｄとが交差する曲状の隅部２７を有する。隅部が、先鋭状ではなく曲状を有することによって、着用者の顔面が隅部に触れても刺激を与えることはない。
【００１８】
マスク本体２０（マスク１０）の上下方向Ｙの寸法（両側縁２０ｃ，２０ｄの長さ寸法）Ｗ１は、６０〜１００ｍｍ、幅方向Ｘの寸法（上下端縁２０ａ，２０ｂの長さ寸法）Ｌ１は、１４０〜１８０ｍｍである。マスク本体２０の上下方向Ｙの寸法Ｗ１が、１４０ｍｍ以下の場合には、大人の着用者の標準的な大きさの顎部を十分に被覆することができず、幅方向Ｘの寸法Ｌ１が１８０ｍｍ以上の場合には、後記の口覆い部２４の非重畳部分２９Ｂにおいてマスク本体２０を屈曲させることができないおそれがある。
【００１９】
マスク本体２０を形成する基材シート２１は、肌対向面側に位置する内層シート２５と、非肌対向面側に位置する外層シート２６とから構成されている。内層シート２５と外層シート２６とは、マスク本体２０の外周縁に沿って断続的に延びる外周シール域４０によって互いに接合されている。外周シール域４０は、その延在方向へ所定寸法離間して配置された複数の接合部４１から形成される。外周シール域４０は、マスク本体２０の上端縁２０ａに沿って幅方向Ｘへ断続的に延びる２条のラインからなる上側シール域４２と、下端縁２０ｂに沿って幅方向Ｘへ断続的に延びる下側シール域４３と、両側縁２０ｃ，２０ｄに沿って上下方向Ｙへ断続的に延びるサイドシール域（シール域）４４とを有する。
【００２０】
内層シート２５と外層シート２６とは、例えば、熱融着性繊維を含む質量１０〜４０ｇ／ｍ２の通気性を有する繊維不織布シートであって、メルトブローン繊維不織布、スパンボンド繊維不織布、ＳＭＳ繊維不織布及びエアスルー繊維不織布等の各種公知の繊維不織布の他に、織布、ガーゼ、木綿布等の肌触り及び通気性の良好なシート材料から形成することができる。図示していないが、内外層シート２５，２６間に微粒子のフィルター機能を有するシートを介在させてもよい。耳掛け部３０は、好ましくは弾性的に伸縮可能なものであって、不織布や織布、プラスチックフィルム、ゴムひも等の公知の材料によって形成することができる。
【００２１】
外周シール域４０は、断続的に配置された複数の接合部４１において内層シート２５と外層シート２６とを互いに溶着する溶着シールラインであって、両シート２５，２６は外周シール域４０においてのみ接合され、他の部分において互いに接合されていない。したがって、両シート２５，２６の内面全体が互いに接合されている場合に比して、マスク１０全体は柔軟性及び通気性に優れる。
【００２２】
図３を参照すると、外周シール域４０の接合部４１は、一対の短辺と一対の長辺とから画成された略長方形状であって、上側シール域４２と下側シール域４３とにおいては、長辺が幅方向Ｘへ延びるように接合部４１が配置されており、上下方向Ｙへ延びる２つのシールラインを形成している。また、上側シール域４２のシールライン間の上下方向Ｙの離間寸法は、下側シール域４３のシールライン間の上下方向Ｙの離間寸法よりも大きくなっている。
【００２３】
図２を参照すると、上側シール域４２のシールライン間には、幅方向Ｘへ延びる弾性帯片６０が配置されている。弾性帯片６０は、内層シート２５と外層シート２６との間に介在されており、具体的には、上側シール域４２を形成する２つのシールライン間に形成された筒状の空間内に挟持固定されている。弾性帯片６０の両端の幅方向の外側には、弾性帯片６０の幅方向Ｘへの移動を規制するための接合部４１Ｃが配置されている。
【００２４】
内層シート２５の上下端縁部は、外層シート２６の下端縁部よりも上下方向Ｙの外側へ延出しており、該延出部２５ａ，２５ｂが上下方向Ｙの内側へ曲状に折り曲げられて、上側シール域４２と下側シール域４３とによって外層シート２６の非対向面側に固定されている。また、マスク本体２０の下端縁２０ｂは、該延出部２５ｂが曲状に折り曲げられていることによって、下方へ向かって緩やかに湾曲した形状を有する。かかる曲状の下側縁２０ｂとマスク本体２０の曲状の隅部２７とが相俟って、マスク１０は全体的に丸みを帯びた外観を呈する。
【００２５】
耳掛け部３０は、マスク本体２０の上端部２２と下端部２３に位置する一対の固定両端部（基端部）３１と、固定両端部３１間において環状に延びる自由部３２とを有する。基端部３１は、それぞれ、マスク本体２０の上下端部２２，２３に溶着されており、上下端部２２，２３には、基端部３１を固定する矩形の上下固定部（上下シール部）３４Ａ、３４Ｂが形成されている。上下固定部３４Ａ，３４Ｂは、基端部３１の外形よりもひと回り大きな矩形状を有する。上下固定部３４Ａ，３４Ｂが、基端部３１の外形よりも大きいことによって、基端部３１はマスク本体２０に対して所要の剥離強度を有し、着用中に基端部３１にそれを剥離しようとする力が作用しても、容易に剥離することはない。
【００２６】
図１〜図３を参照すると、下側シール域４３は、マスク本体２０の下端縁２０ｂに沿って曲状に延びており、その両端部は下端部２３に位置する下側シール域４３まで延びている。また、サイドシール域４４は、上端部２２に位置する上側シール域４２と下端部２３に位置する下側シール域４３と重なって位置している。したがって、サイドシール域４４の接合部４１と下側シール域４３の接合部４１とが、マスク１０の平面視において、下側シール域４３と互いに重なっている。そのため、下固定部３４Ｂでは、シートの溶着部分が集中して接合強度が高くなるだけではなく、剛性が比較的に高くなって肌に触れると強く刺激を与えるおそれがあるが、下固定部３４Ｂの位置する隅部２７がアール形状であるので、肌に触れても強く刺激を与えるおそれはない。
【００２７】
マスク本体２０の口覆い部２４は、基材シート２１をプリーツ状に折り曲げて形成された幅方向Ｘへ延びる複数の襞部２８を有する。襞部２８は、上側から順に、マスク本体２０の非肌対向面側において上向きに凸となる第１〜第３襞部２８Ａ〜２８Ｃと、第３襞部２８Ｃの下方において下向きに凸となる第４襞部２８Ｄと最下襞部（襞部、第５襞部）２８Ｅとを有する。基材シート２１は、第３襞部２８Ｃと第４襞部２８Ｄとにおいて、断面Ω状に折り曲げられている。口覆い部２４は、かかるプリーツ加工が施されていることによって、基材シート２１が折り重ねられてそれが複数に積層された重畳部分（重層部分）からなる各襞部２８Ａ〜２８Ｅのほかに、第３襞部２８Ｃと第４襞部２８Ｄとの間に位置する、基材シート２１が折り重ねられていない、単層構造を有する非重畳部分（非重層部分）２９とを有する。
【００２８】
各襞部２８Ａ〜２８Ｅは、基材シート２１が折り曲げられた形成された積層構造を有する重畳部分であるから、単層構造を有する非重畳部分２９よりも剛性が高く、前者を高剛性領域、後者を低剛性領域ともいえる。このように、各襞部２８Ａ〜２８Ｅと非重畳部分２９とにおいて剛性が異なることから、着用する際に、マスク本体２０の両側縁部１８に作用するそれを変形しようとする力を低剛性領域である非重畳部分２９において吸収、拡散することによって、両側縁部１８全体の変形を抑制し、顔面から浮き上がりを防止することができる。ここで、「各襞部２８Ｃ〜２８Ｅの剛性が非重畳部分２９の剛性よりも高い」とは、少なくとも上下方向Ｙにおける曲げ剛性において、各襞部２８Ａ〜２８Ｅの方が非重畳部分２９よりも高いことを意味する。また、襞部２８は、基材シートの折り目のほかに、その折り目によってマスク本体２０の厚さ方向に折り重ねられた内外層部分を含む。なお、本実施形態のマスク１０では、下端部２３に最下襞部２８Ｅのみが位置しているが、複数の襞部が位置していてもよい。
【００２９】
図２を参照すると、最下襞部２８Ｅは、折り目によってマスク本体２０の厚さ方向に折り重ねられた内層部分３５と外層部分３６とを有し、下端部２３において耳掛け部３０の下固定部３４Ｂ間において幅方向Ｘへ延びている。最下襞部２８Ｅの幅寸法、すなわち、最下襞部２８Ｅが展開された状態における上下方向Ｙの寸法（内層部分３５と上下方向Ｙの寸法と外層部分３６の上下方向Ｙの寸法との合計寸法）Ｗ２は、第１〜第３襞部２８Ａ〜２８Ｃの幅寸法（上下方向Ｙの寸法）とほぼ同じ大きさであって、具体的には、幅寸法Ｗ２は６〜１１ｍｍである。なお、後記の本考案の技術的効果を奏する限りにおいて、最下襞部２８Ｅの幅寸法Ｗ２が他の襞部２８Ａ〜２８Ｄの幅寸法と異なり、相対的に小さくてもよいし、大きくされていてもよい。一方、非重畳部分２９の幅寸法（上下方向Ｙの寸法）Ｗ３は、１〜７ｍｍである。非重畳部分２９は、マスク１０の両側縁部１８においてそれを変形しようとする力を分散、吸収するための折曲誘導手段としての機能を果たすものであって、それが１ｍｍ未満の場合には、隣接する第３及び第４襞部２８Ｃ，２８Ｄにおいて変形を生じてしまうおそれがある。また、非重畳部分２９の幅寸法Ｗ３が、７ｍｍを超える場合には、比較的に大きくなり過ぎて、非重畳部分２９内において複数の折曲がなされて、歪な形状となるおそれがある。
【００３０】
図４を参照すると、従来のマスク２１０は、幅方向の寸法を２等分する縦断中心線と上下方向の寸法を２等分する横断中心線Ｍと、内外層を有する基材シートから形成されたマスク本体２２０と、マスク本体２２０の両側縁から延びる一対の環状の耳掛け部２３０とを有する。基材シートの内外層は、マスク本体２２０の外周に配置された複数のシール部からなるシール域によって接合されている。上端縁２２０ａと、下端縁２２０ｂと、両側縁２２０ｃ，２２０ｄとから画成された外形をなし、耳掛け部２３０の上固定部２３４Ａが位置する上端部２２２と、耳掛け部２３０の下固定部２３４Ｂが位置する下端部２２３と、上下端部２２２，２２３間に位置する口覆い部（中間部）２２４とを有する。中間部２２４と下端部２２３とには、基材シートをプリーツ状に折り重ねて形成された複数の襞部２２８Ａ〜２２８Ｄが配置されており、口覆い部２２４は、第１〜第３襞部２２８Ａ〜２２８Ｃ，下端部２２３には、最下襞部（第４襞部）２２８Ｄが位置している。また、横断中心線Ｍ近傍において、基材シートが断面Ω状に折り畳まることによって、第１襞部２２８Ａは上方へ凸となり、第２襞部２２８Ｂは下方へ凸となっており、それらの間には、基材シートが折り重ねられていない単層構造を有する非重畳部分２２９が形成されている。
【００３１】
従来のマスク２１０において、上側縁２２０ａは幅方向へ直状に延びており、下側縁２２０ｂは、幅方向へ直状に延びる中央部位と、中央部位の両側において下固定部２３４Ｂの下縁から中央部位に向かって直線状に傾斜して延びる傾斜部位とから形成されている。また、両側縁２２０ｃ，２２０ｄの略中央部には、幅方向の内方へ延びる切欠２６０が位置しており、切欠２６０から下方には、幅方向の内方へ斜めに延びる傾斜部位が位置している。
【００３２】
図５（ａ）を参照すると、マスク１０を着用するときには、耳掛け部３０を着用者の耳部に掛け回した状態において、耳掛け部３０が後方へ引っ張られることによって、マスク本体２０の両側縁部１８に上下方向Ｙへ向かうそれを変形させようとする力が作用する。具体的には、マスク本体２０の上端部２２では耳掛け部３０の基端部３１から下向きの力Ｆ１が作用し、下端部２３では基端部３１から上向きの力Ｆ２が作用する。このように、上下方向Ｙにおいて互いに逆方向の力Ｆ１，Ｆ２がマスク本体２０の両側縁部１８に作用することによって、両側縁部１８が変形して顔面から浮き上がり、隙間が生じるおそれがあるが、各襞部２８Ａ〜２８Ｅに比して剛性の低い低剛性域である非重畳部分２９においてこれらの力を吸収、分散するように折曲されることによって、両側縁部の変形を抑制することができる。
【００３３】
図５（ｂ）を参照すると、従来のマスク２１０を着用するときにも、マスク１０と同様に、耳掛け部２３０を着用者の耳部に掛け回した状態において、耳掛け部２３０が後方へ引っ張られることによって、マスク本体２２０の両側縁部に上下方向へ向かうそれを変形させようとする力が作用する。具体的には、マスク本体２２０の上端部２２２では耳掛け部２３０の基端部から下向きの力Ｆ３が作用し、下端部２２３では基端部から上向きの力Ｆ４が作用する。このように、上下方向Ｙにおいて互いに逆方向の力Ｆ３，Ｆ４がマスク本体２２０の両側縁部２１８に作用することによって、両側縁部２１８が変形するおそれがある。従来のマスク２１０では、非重畳部分２２９においてそれらの力Ｆ３，Ｆ４を吸収、分散するように折曲されるとともに、切欠２６０が力Ｆ３，Ｆ４を逃がす働きをして、かかる変形を抑制している。
【００３４】
図６（ａ）を参照すると、マスク１０では、下端部２３に位置する最下襞部２８Ｅに対して、折り重ねられた部分を上下方向Ｙにおいて展開しようとする力が作用する。最下襞部２８Ｅにそれを展開しようとする力が作用することによって、最下襞部２８Ｅの中央部分（折り目部分）から内層部分３５は下方へ向かって展開され、外層部分３６は上方へ向かって展開される。通常、マスクの襞部において襞部の幅寸法（上下寸法）が一定の場合であっても、襞部が固定されるサイドシール域間の幅方向における離間寸法によって、マスク本体の両側縁部における変形領域の大きさが異なる。すなわち、サイドシール域が、マスク本体の両側縁に近い場合であって、互いに離間寸法が大きい場合には、マスク本体の両側縁部における変形領域が小さく、一方、サイドシール域が、マスク本体の両側縁から比較的に離れて位置し、互いの離間寸法が小さい場合には、マスク本体の両側縁部における変形領域が大きくなる。
【００３５】
マスク１０では、両側縁２０ｃ，２０ｄが上下方向Ｙへ並行に延び、かつ、下固定部３４Ｂにおいて襞部２８Ｅが固定されていることから、下固定部３４Ｂの内側縁間の離間寸法Ｒ１は比較的に大きくなり、襞部２８Ｅの展開時における外形に沿ったそれを上下方向Ｙへ展開させようとする力の延長線上間の変形領域７０は比較的に小さくなる。それによって、マスク本体２０の両側縁部１８において上向きの力Ｆ２による最下襞部２８Ｅの両側部分（固定部分）の変形が抑制されるので、耳掛け部３０を耳部に掛け回したときに、最下襞部２８Ｅを形成する内外層部分３５，３６を展開することができる。
【００３６】
図６（ｂ）を参照すると、従来のマスク２１０においても、着用したときに、下端部２２３に位置する最下襞部２２８Ｄに対して、折り重ねられた部分を上下方向において展開しようとする力が作用する。最下襞部２２８Ｄにそれを展開しようとする力が作用することによって、最下襞部２２８Ｄにおいて折り重ねられた内層部分２３５は下方へ向かって展開され、外層部分２３６は上方へ向かって展開される。マスク１０では、両側縁２２０ｃ，２２０ｄの傾斜部位に最下襞部２２８Ｄが位置しており、それを固定するサイドシール域２４４の接合部２４１が両側縁２２０ｃ，２２０ｄから離れて位置することから、それらの離間寸法Ｒ２は比較的に小さくなる。そのために、襞部２２８Ｄの展開時における外形に沿ったそれを上下方向へ展開させようとする力の延長線上間の変形領域２７０は比較的に大きくなる。それによって、マスク本体２２０の両側縁部２１８における最下襞部２２８Ｄの両側部分（固定部分）が変形されて、耳掛け部２３０を耳部に掛け回したときに、最下襞部２８Ｄを形成する内外層部分２３５，２３６を十分に展開させることができない。
【００３７】
マスク１０の最下襞部２８Ｅとマスク２１０の最下襞部２２８Ｄとは、それぞれ、マスク本体２０，２２０の下端部２３，２２３に位置して着用者の口部及び／又は顎部と対向する部分を展開するためのものであって、顔面と対向する他の襞部よりも幅寸法が比較的に小さく、それらの幅寸法Ｗ２，Ｗ４は、６〜１１ｍｍである。一方、マスク１０の下固定部３４Ｂ間の離間寸法Ｒ１とマスク２１０の接合部２４１間の離間寸法Ｒ２とは相違しており、離間寸法Ｒ１は、１２０〜１３５ｍｍ、離間寸法Ｒ２は、１００〜１１５ｍｍである。
【００３８】
マスク１０では、幅寸法Ｗ２と離間寸法Ｒ１とがかかる関係を有することから、一対の耳掛け部３０の下固定部３４Ｂ間の幅方向Ｘの寸法（離間寸法）Ｒ１を下固定部３４Ｂ間に位置する最下襞部２８Ｅの上下方向Ｙの寸法（幅寸法）で除算した値が１１以上となっている。一方、従来のマスク２１０においては、一対の耳掛け部２３０のサイドシール域２４４の接合部２４１間の幅方向Ｘの寸法（離間寸法）Ｒ２を接合部２４１間に位置する最下襞部２２８Ｄの上下方向の寸法（幅寸法）で除算した値が１１以下となっている。出願人が知見したところによれば、かかる計算式によって算出された値が１１以上の場合には、マスク１０と同様に、マスク本体の両側縁部における変形領域が比較的に小さくなり、着用したときに最下襞部が展開され易くなる一方、１１以下の場合には、従来のマスク２１０と同様に、マスク本体の両側縁部における変形領域が比較的に大きく、着用したときに最下襞部が展開され難くなるおそれがある。
【００３９】
また、図示していないが、最下襞部２８Ｅの幅方向へ延びる下側縁、すなわち、折目部分が、マスク本体２０の両側縁部１８において耳掛け部３０の下固定部３４Ｂと互いに重なっていないことが好ましい。かかる場合には、下固定部３４Ｂと互いに重なる場合に比して、最下襞部２８Ｅの展開の基点となる折目部分の両側の剛性が低くなって展開しやすくなる。
【００４０】
再び、図５（ａ）を参照すると、マスク１０においては、最下襞部２８Ｅを含むすべての襞部２８Ａ〜２８Ｅが十分に展開されることによって立体的な形態をなし、着用者の口部とマスク本体２０との間に比較的に大きなスペースＳ１が形成される。それによって、着用者は息苦しく感じることはなく、女性の着用者の場合には、口紅がマスク本体２０の内面に付着するのを防止することができる。図５（ｂ）を参照すると、従来のマスク２１０においては最下襞部２２８Ｄが十分に展開されないことから、着用者の口部とマスク本体２２０との間に比較的に小さなスペースＳ２が形成されており、着用者は息苦しく感じるとともに、口紅がマスク本体２２０の内面に付着してしまうおそれがある。
【００４１】
図７（ａ）及び（ｃ）を参照すると、マスク本体２０は、下側縁２０ｂが下方へ僅かに凸曲した形状を有し、かつ、最下襞部２８Ｅが展開されて下端部２３が前方へ突出した立体形状を呈することから、正面視において、下端部２３が顎部の形状に沿う幅狭となり、顎部が実際よりもシャープであって小顔の印象を与えることができる。また、最下襞部２８Ｅの変形領域７０が比較的に小さく、かつ、非重畳部分２９において両側縁部１８を変形させようとする力Ｆ２，Ｆ３を分散、吸収することができることから、両側縁部１８の変形を抑制し、側面視においても顔面にフィットさせることができる。
【００４２】
図７（ｂ）及び（ｄ）を参照すると、従来のマスク２１０では、下端縁２２０ｂが傾斜部位を有することから下方へ凸となる形状を有するものの、最下襞部２２８Ｄが十分に展開されずに変形されることから、両側縁部２１８全体が顔面から離間したような状態となり、フィット性が低下する。そのために、正面視において、下端部２２３が着用者の顎部よりも横に張り出したような態様となり、顔の外形輪郭が大きいような印象を与えるおそれがある。なお、従来のマスク２１０においては、非重畳部分２２９及び切欠２６０において両側縁部２１８を変形させようとする力Ｆ３，Ｆ４を吸収、分散させることができるが、上方へ向かう力Ｆ４の基点となる耳掛け部２３０の下固定部と離間して位置していることから、変形領域２６０に作用する上方へ向かう力Ｆ４を吸収、分散することができない。
【００４３】
再び、図６（ａ）を参照すると、本考案に係るマスク１０において、上固定部３４Ａと下固定部３４Ｂとが上下方向Ｙにおいて並んで配置されていることから、それらの内側縁を通過する一点鎖線（仮想線）Ｔ１，Ｔ２は、上下方向Ｙへ並行に延びている。マスク１０の一点鎖線Ｔ１，Ｔ２間において、耳掛け部３０の上固定部３４Ａ間の幅方向Ｘの寸法である第１寸法Ｎ１，耳掛け部３０の下固定部３４Ｂ間の幅方向Ｘの寸法である第２寸法Ｎ２（離間寸法Ｒ１と同じ），下端部２３の下端縁の幅方向Ｘの寸法である第３寸法Ｎ３の大きさの相関関係が、Ｎ３＞Ｎ１≒Ｎ２となっている。
【００４４】
図６（ｂ）を参照すると、従来のマスク２１０においては、耳掛け部２３０の上固定部２３４Ａと下固定部２３４Ｂとが上下方向Ｙにおいて位置ずれしていることから、それらの内側縁を通過する一点鎖線（仮想線）Ｔ１，Ｔ２は幅方向Ｘの中央部に向かって傾斜して互いに交差方向へ延びている。マスク２１０の一点鎖線Ｔ１，Ｔ２間において、耳掛け部２３０の上固定部２３４Ａ間の幅方向Ｘの寸法である第１寸法Ｎ４，耳掛け部２３０の下固定部２３４Ｂ間の幅方向Ｘの寸法である第２寸法Ｎ５（離間寸法Ｒ２と同じ），下端縁２２０ｂの幅方向Ｘの寸法である第３寸法Ｎ６の大きさの相関関係がＮ４＞Ｎ６＞Ｎ５となっている。
【００４５】
本考案に係るマスク１０においては、耳掛け部３０の上固定部３４Ａ間の第１寸法Ｎ１と下固定部３４Ｂ間の第２寸法Ｎ２とがほぼ同じあることから、耳掛け部３０における後方へ引っ張る力Ｆ５，Ｆ６が均等にマスク本体の両側縁部１８に作用し、顔面からの浮き上がりが防止される。また、第１寸法Ｎ１と第２寸法Ｎ２とがほぼ同じ大きさであって、それらが、上下方向Ｙにならんで位置していることから、下固定部３４Ｂが上固定部３４Ａの幅方向Ｘの内側に位置している等の位置ずれしている場合に比して、上固定部３４Ａと下固定部３４Ｂとの離間寸法Ｒ５が小さくなる。したがって、下固定部３４Ｂ間の部分が比較的に小さくなり、小顔の印象を与えることができる。
【００４６】
マスク１０を着用したときに、このような小顔効果を発揮するために、主として成人の女性を対象とする場合、第３寸法Ｎ３が１２０〜１４０ｍｍであって、第２寸法Ｎ２と第３寸法Ｎ３との合計寸法が２４０〜２６０ｍｍであることが好ましい。第２及び第３寸法Ｎ２，Ｎ３がかかる寸法の範囲内であることによって、下方へ凸曲しすぎて面長な印象を与えることなく、シャープな印象を与えることができる。
【００４７】
従来のマスク２１０では、耳掛け部２３０の上固定部２３４Ａ間の第１寸法Ｎ４が、下固定部２３４Ｂ間の第２寸法Ｎ５よりも大きく、それらが、上下方向Ｙへ位置ずれしていることから、上固定部２３４Ａと下固定部２３４Ｂの離間寸法Ｒ６がマスク２１０に比べて大きくなる。それによって、マスク２１０の正面視において、中間部２２２が縦長となって実際の顔の大きさよりも大きな、横に張り出したような印象を与えるおそれがある。
【００４８】
＜変形例１＞
図８を参照すると、本変形例においては、マスク本体２０の両側縁部１８において、横断中心線Ｑよりも下方であって、かつ、耳掛け部３０の下固定部３４Ｂに近接する位置に切欠部（折曲誘導部）７０が位置している。切欠７０は、両側縁２０ｃ，２０ｄから幅方向Ｘの内方へ向かって次第に幅狭となる略Ｖ字状であって、切欠７０において両側縁部１８を変形させようとする力Ｆ１，Ｆ２を吸収、分散させることができる。切欠７０を横断中心線Ｑよりも下方に配置することによって、その上方に位置する場合に比べて、下固定部３４Ｂとの距離が近くなるので、上方へ向かう力Ｆ２を吸収、分散させ易くなるが、さらに、下固定部３４Ｂに隣接させて位置させることによって、力Ｆ２をより確実に吸収、分散させることができる。
【００４９】
また、切欠７０は、両側縁部１８においてサイドシール域４４を横断してそれよりも幅方向Ｘの内側へ延出している。切欠７０の先端が、サイドシール域４４に位置する場合には、切欠７０とサイドシール域４４の内側縁に位置する接合部４１との間において僅かな変形が生じてしまうおそれがあるが、切欠７０がサイドシール域４４を横断してその先端がサイドシール域４４の内側縁よりも幅方向の内側に位置することによって、かかる僅かな変形が生じるのを防止することができる。切欠７０は、単数又は複数の直状、曲状等の各種公知の形状であってもよい。
【００５０】
＜変形例２＞
図９を参照すると、本変形例においては、切欠７０が、第３襞部２８Ｃと第４襞部２８Ｄとの間に位置する非重畳部分２９に位置している。このように、各襞部２８Ａ〜２８Ｅに比べて低剛性の低剛性域である非重畳部分２９に切欠７０が位置し、かつ、非重畳部分２９と切欠７０とが下固定部３４Ｂの近傍に位置することから、両側縁部１８を変形させようとする力Ｆ２をより確実に吸収、分散することができる。なお、図示していないが、非重畳部分２９を下端部２３に形成し、かかる非重畳部分２９に切欠７０を形成してもよい。
【００５１】
マスク１０を構成する部材には、特に明記されていない限りにおいて、本明細書に記載されている材料のほかに、この種の分野において通常用いられている公知の材料を制限なく用いることができる。また、本明細書において使用されている「第１」〜「第４」等の用語は、同様の要素、位置等を単に区別するために用いてある。
【符号の説明】
【００５２】
１０  使い捨てマスク
２０  マスク本体
２０ａ  マスク本体の上端縁
２０ｂ  マスク本体の下端縁
２０ｃ，２０ｄ  マスク本体の側縁
２２  上端部
２３  下端部
２４  口覆い部
２８Ａ〜２８Ｄ  襞部
２８Ｅ  最下襞部
２９    非重畳部分
３０  耳掛け部
３１  耳掛け部の基端部（固定端部）
３４Ａ  上固定部
３４Ｂ  下固定部
４１    接合部（シール部）
４４    サイドシール域（シール域）
７０  切欠
Ｑ  横断中心線
Ｒ１  下固定部間の幅方向の寸法
Ｗ１  襞部の上下方向の寸法
Ｘ  幅方向
Ｙ  上下方向
【図１】
0003203087.tif 000003
【図２】
0003203087.tif 000004
【図３】
0003203087.tif 000005
【図４】
0003203087.tif 000006
【図５】
0003203087.tif 000007
【図６】
0003203087.tif 000008
【図７】
0003203087.tif 000009
【図８】
0003203087.tif 000010
【図９】
0003203087.tif 000011